(57)【特許請求の範囲】
【請求項１】
複数種類のドアの受注を支援するシステムであって、
上記複数種類のドアはそれぞれドアの種類毎に、少なくとも該ドアのデザイン、パーツの位置及びドア表面の木目模様が特定されたデザイン品番を含む製品品番を有し、該デザイン品番は、上記少なくともドアのデザイン、パーツの位置及びドア表面の木目模様をドアの標準品から変更可能な範囲が決められており、
上記ドアのデザイン品番を入力する入力端末と、
上記複数種類のドアのデザイン品番毎の製品規格書を格納したデータベースを有し、上記入力端末にデザイン品番が入力されたとき、該デザイン品番によって特定されるドアの製品規格書を上記データベースから読み出して出力するサーバと、
上記サーバから出力されたドアの製品規格書を表示する出力端末とを備え、
上記サーバは、デザイン品番のドアの製造に必要な材料を提示し、かつデータを製造ラインに出力するものとされていることを特徴とするドアの受注支援システム。
【請求項２】
請求項１において、
入力端末は、ドアの色を特定する色品番をデザイン品番と共に入力可能とされ、
サーバは、上記入力端末にデザイン品番と共に色品番が入力されたときに、該デザイン品番と色品番とを組み合わせて製品品番を生成し出力端末に出力するものとされていることを特徴とするドアの受注支援システム。
【請求項３】
請求項１又は２において、
デザイン品番は、ドアのデザイン、パーツの位置及び表面の木目模様が、文字もしくは数字又は両者の組み合わせにより特定されていることを特徴とするドアの受注支援システム。
【発明の詳細な説明】
【技術分野】
【０００１】
本発明は、複数種類のドアの受注を支援するためのドア受注支援システムに関する。
【背景技術】
【０００２】
近年、住宅においても量から質への転換が図られており、それに伴い、居住者がインテリアデザインについても重視するようになり、従来の画一的なデザインから自分だけのデザインを求めるという状況がある。メーカー側でも、このようなユーザのニーズをある程度満たせるように、多品種の品揃えに努めるとともに、特注品の対応も進められてきている。
【０００３】
ドアにおいても、色柄寸法、あかり窓や化粧目地等のパーツの数や配置等について特注対応をしているが、このような対応では、専用に製造するためにある程度まとまった数量がないと非常に高価になること、発注側の意図を受注側に正確に伝えることが難しく要望とは異なる製品が納品される場合があること、特注品の品質が確認されておらず保証ができないこと等、種々の問題が生じる。
【０００４】
そこで、従来、例えば特許文献１に示されるように、現場で採寸した階段や窓枠等の建材の寸法データを携帯端末からサーバへ送るための受発注システムが提案されている。また、特許文献２には、サッシのデータを入力するだけで窓枠内装材のプレカット加工処理が発注できる受発注システムが開示されている。
【先行技術文献】
【特許文献】
【０００５】
【特許文献１】特開２００３−２１６８４５号公報
【特許文献２】特開２００５−４４８５号公報
【発明の概要】
【発明が解決しようとする課題】
【０００６】
しかし、これら従来のものは、階段や窓枠等の建材の寸法データ、或いはサッシのデータを送って発注するだけのものである。そのため、複数種類のドアを発注する場合において、それらドアのデザインや色等を品質保証を含め簡単に発注でき、受注者側も注文を間違いなく受注して生産し、ドアを１セットから短納期で提供することはできない。
【０００７】
本発明の目的は、標準品からデザイン、それぞれのパーツを変更できる範囲を決めて予め発注パターンを設定して発注すれば、受注側も使用する材料やパーツ類を準備し製造することができるドアの受注支援システムを提供することにある。
【課題を解決するための手段】
【０００８】
上記の目的を達成するために、この発明では、予め複数種類のドアのデザインパターンを決めておいて、そのデザインパターン毎に品番を割り当てておき、その品番により発注から生産まで全てを管理するようにした。
【０００９】
具体的には、請求項１の発明では、複数種類のドアの受注を支援するシステムとして、上記複数種類のドアはそれぞれドアの種類毎に、少なくとも該ドアのデザイン、パーツの位置及びドア表面の木目模様が特定されたデザイン品番を含む製品品番を有している。そのデザイン品番は、上記少なくともドアのデザイン、パーツの位置及びドア表面の木目模様をドアの標準品から変更可能な範囲が決められている。そして、受注支援システムは、上記ドアのデザイン品番を入力する入力端末と、上記複数種類のドアのデザイン品番毎の製品規格書を格納したデータベースを有し、上記入力端末にデザイン品番が入力されたとき、該デザイン品番によって特定されるドアの製品規格書を上記データベースから読み出して出力するサーバと、このサーバから出力されたドアの製品規格書を表示する出力端末とを備え、上記サーバは、デザイン品番のドアの製造に必要な材料を提示し、かつデータを製造ラインに送るものとされていることを特徴とする。
【００１０】
この請求項１の発明では、ドアの複数種類毎に、少なくとも、ドアのデザイン、パーツの位置、ドア表面の木目模様が特定されたデザイン品番を有しており、このデザイン品番が入力端末に入力されると、その入力端末からの信号を受けたサーバにおいて、デザイン品番によって特定されたドアの製品規格書がデータベースから読み出され、この製品規格書が出力端末にて表示される。また、そのデザイン品番のドアの製造に必要な材料も提示されて、それらデータが製造ラインに送られる。
【００１１】
すなわち、ドアのデザイン品番は、ドアの標準品からのデザインや、それぞれのパーツ等を変更できる範囲が決められており、そのデザイン品番によりドアを注文することで、そのドアの注文品が品質を保証していることを確認できる。
【００１２】
また、デザイン品番で所望のデザイン等のパターンのドアが特定できるので、誰でも間違いなく注文することができ、受注側も間違いなく生産し納入できる。
【００１３】
このことで、サーバの出力を受けた出力端末での表示により一目で受注製品が判るようになる。すなわち、今までは、工場の生産管理部門が受注を受け、受注製品（つまり特注品）の詳細を記載した指示書を作成してそれを工場に出すようにしていたのに対し、本願発明では、受注を直接工場等が受け、出力端末の表示を見て指示書相当の内容が判るようになり、従来の指示書は不要となる。
【００１４】
さらに、上記デザイン品番がサーバに入力されると、サーバによりデザイン品番で特定されたドアの製品規格書がデータベースから読み出されて出力端末で表示されるだけでなく、そのデザイン品番のドアの製造に必要な材料も提示されて、それらデータが製造ラインに送られるので、ドアの受注から生産までを自動的に行うことができる。
【００１５】
請求項２の発明では、請求項１の発明において、上記入力端末は、ドアの色を特定する色品番をデザイン品番と共に入力可能とされ、上記サーバは、上記入力端末にデザイン品番と共に色品番が入力されたときに、該デザイン品番と色品番とを組み合わせて製品品番を生成し出力端末に出力するものとされていることを特徴とする。
【００１６】
この請求項２の発明では、ドアのデザイン品番と色品番とを別々に入力端末に入力し、サーバ内で組み合わせて製品品番を生成することで、入力もし易くなるとともに、システム自体の記憶容量が少なくて済む。
【００１７】
請求項３の発明では、請求項１又は２の発明において、デザイン品番は、ドアのデザイン、パーツの位置、表面の木目模様が、文字もしくは数字又は両者の組み合わせにより特定されていることを特徴とする。
【００１８】
この請求項３の発明では、文字又は数字の少なくともいずれか一方からなる複数桁のデザイン品番で所望のデザイン等のパターンのドアを特定することができる。
【発明の効果】
【００１９】
以上説明したように、請求項１の発明によると、複数種類のドアの受注を支援するシステムとして、ドアの複数種類毎に、ドアのデザイン、パーツの位置、ドア表面の木目模様が特定されたデザイン品番を付け、そのデザイン品番はドアのデザイン等を標準品から変更可能な範囲が決められているものとし、デザイン品番のサーバへの入力に基づき、そのサーバが、デザイン品番によって特定されるドアの製品規格書をデータベースから読み出して提示するとともに、デザイン品番のドアの製造に必要な材料を提示し、かつデータを製造ラインに送るようにしたことにより、そのデザイン品番によるドアの注文により、そのドアの注文品が品質を保証していることを確認できるとともに、デザイン品番で所望のデザイン等のパターンのドアが特定できるので、誰でも間違いなく注文することができ、受注側も間違いなく生産し納入できる。さらには、サーバにより、デザイン品番のドアの製造に必要な材料が提示され、かつデータが製造ラインに送られるので、ドアの受注から生産までを自動的に行うことができる。
【００２０】
請求項２の発明によると、デザイン品番を色品番と共にサーバに入力し、デザイン品番と色品番とを組み合わせて製品品番を生成するようにしたことにより、デザイン品番と色品番とを別々に入力してサーバ内で製品品番を生成でき、入力もし易くてシステム自体の記憶容量が少なくて済む。
【００２１】
請求項３の発明によると、デザイン品番を、ドアのデザイン、パーツの位置、表面の木目模様が文字もしくは数字又は両者の組み合わせにより特定されたものとしたことにより、文字又は数字の少なくともいずれか一方からなる複数桁のデザイン品番で所望のデザイン等のパターンのドアを特定することができる。
【図面の簡単な説明】
【００２２】
【図１】図１は、参考形態に係るドアの受注支援システムの構成を概略的に示すブロック図である。
【図２】図２は製品品番を例示する図である。
【図３】図３はデザイン品番のデザイン構成の一半部を示す図である。
【図４】図４はデザイン品番のデザイン構成の他半部を示す図である。
【図５】図５は、本発明の実施形態に係るドアの受注支援システムの構成を示す図１相当図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものでは全くない。
【００２４】
［参考形態］
図１は参考形態に係るドアの受注支援システムＡを示し、このシステムＡは複数種類のドアの受注を支援するためのもので、発注端末としての入力端末１と、出力端末２と、データベース４を有するサーバ５とを備えてなり、これら入力端末１、出力端末２及びサーバ５は例えばネットワーク７を介して互いにデータ授受可能に接続されている。入力端末１は、ドアの後述するデザイン品番及び色品番を入力するもので、例えば営業担当者が携帯するか或いは営業所に配置される。出力端末２はドアの後述する製品規格書を出力するもので、例えばサーバ５（データベース４）と共に製造工場に配置される。尚、サーバ５と出力端末２とをネットワーク７ではなくて有線通信回線で接続してもよい。
【００２５】
上記複数種類のドアはそれぞれドアの種類毎に、少なくとも、ドアのパーツを含むデザイン、寸法、ドア表面の木目模様及び色が特定された製品品番を有している。この製品品番は、文字もしくは数字又は両者の組み合わせにより特定されるもので、デザイン品番と色品番とからなる。この色品番をデザイン品番と分けたのは、ドアの色は製造工程にさほど影響しないことによる。
【００２６】
（デザイン品番）
上記デザイン品番は、少なくともドアのデザイン、パーツの位置、寸法及び表面の木目模様を特定するものであり、それらが文字もしくは数字又は両者の組み合わせにより特定されている。具体的には、図２に示すように、デザイン品番は、例えば１０桁のアルファベット及び数字の組み合わせにより体系が特定されている。例えば第１桁はドアのシリーズ名を、第２桁は片開きや引戸等のドアの機種を、第３桁〜第５桁は後述するデザイン構成を、第６桁はドアの高さを、第７桁はドアの幅を、第８桁はドアの吊元を、第９桁及び第１０桁はドアに取り付ける蝶番や取手等の使用金具をそれぞれ表すようにしている。
【００２７】
（デザイン構成）
上記デザイン品番の第３〜第５桁で表されるデザイン構成は、図３及び図４に示すように、例えばその１桁目（デザイン品番では第３桁）はドア１１の基本デザインを、２桁目（デザイン品番では第４桁）は、ドア１１におけるパーツとしての各種窓やラインの位置を、３桁目（デザイン品番では第５桁）はドア１１表面の柄である木目模様としての木目方向をそれぞれ表している。
【００２８】
１桁目（デザイン品番では第３桁）の「Ｂ」はドア１１にパーツとしての１本の縦ライン１２が、また「Ｃ」は僅かな間隔をあけて並んだ同様の２本の縦ライン１２，１２が形成される。この縦ライン１２は例えば断面Ｔ字状の目地材を取り付けてＴ型目地として形成される。「Ｅ」はドア１１にパーツとしてのアクリル板等の樹脂モールからなる小窓１３ａが形成され、「Ｆ」はドア１１の中間に略ドア全体に亘るパーツしての矩形窓１３ｂが形成される。「Ｈ」はドア１１の縦方向に延びる細幅のスリット窓１３ｃが、また「Ｊ」は同中程度の幅のスリット窓１３ｃが、さらに「Ｋ」はドア１１の左右中央に太幅のスリット窓１３ｃがそれぞれ形成される。「Ｌ」はドア１１の左右２箇所に縦方向に延びる中程度の幅のスリット窓１３ｃ，１３ｃが形成される。「Ｍ」は略半円状の円弧窓１３ｄが、また「Ｎ」は格子窓１３ｅがそれぞれ形成される。「Ａ」は上記縦ライン１２や窓１３ａ〜１３ｅ等のないものとされる。
【００２９】
また、２桁目（デザイン品番では第４桁）はドア１１におけるパーツとしての縦ライン１２や窓１３ａ，１３ｂ，１３ｅの位置を示し、例えば「０」はドア１１の左端位置を、「２」は同左寄り位置を、「４」は同左右中央位置を、「６」は同右寄り位置を、「８」は同右端位置を、「９」は特殊位置をそれぞれ示している。「９」の特殊位置の場合、１桁目が「Ｃ」のときに、２本の縦ライン１２，１２が僅かな間隔をあけて並ぶのではなく、ドア１１の左右に離れて配置されている。また、１桁目が「Ｍ」のときには、円弧窓１３ｄの円弧側の向きが「０」のデザインとは逆になっている。
【００３０】
さらに、３桁目（デザイン品番では第５桁）はドア１１表面の木目方向を示し、「Ｔ」は木目方向が縦方向（上下方向）の縦木目を、また「Ｙ」は木目方向が横方向（左右方向）の横木目をそれぞれ示している（図３及び図４では２つの矢印の向きで木目方向を示している）。尚、横木目の場合、いずれのデザインのドア１１であっても、上下３等分位置に断面コ字状の上下２本の水平目地１４，１４が木目方向に沿って形成される。
【００３１】
そのため、このデザイン構成が例えば「Ａ０Ｔ」である場合、１桁目（デザイン品番では第３桁）はドア１１のデザインが縦ライン１２や窓１３ａ〜１３ｅ等のない図３で「Ａ」であることを、２桁目（デザイン品番では第４桁）は縦ライン１２や窓１３ａ〜１３ｅ（「Ａ」の場合はない）が左端位置であることを、３桁目（デザイン品番では第５桁）はドア１１表面の木目方向が縦木目であることをそれぞれ表していることとなる。
【００３２】
（色品番）
上記色品番はドアの色を特定するものであり、例えば表面材のシートの色として多種類の色（例えば１０８色）が４桁の数字や文字等により特定されている。
【００３３】
（データベース）
上記データベース４には、上記複数種類のドアの各々の製品規格書のうち必要な部分がドア毎に格納されている。この製品規格書はドア毎に寸法、断面図、加工詳細図、表面の色、指定材料、製造の手順等、製造に必要なデータが詳細に規定されたものであるが、本参考形態では、ドアの寸法、デザイン、色柄毎に定められた指定材料が規定されている。
【００３４】
（サーバ）
そして、上記サーバ５は、上記入力端末１に製品品番（デザイン品番及び色品番）が入力されたとき、そのデザイン品番によって特定されるドアの製品規格書を上記データベース４から読み出して上記出力端末２に出力するようになっており、このサーバ５から出力された製品規格書のデータはドアの製造工程において出力端末２で表示される。
【００３５】
また、サーバ５は、上記入力端末１にデザイン品番と共に色品番が入力されたときに、そのデザイン品番と色品番とを組み合わせて（掛け合わせて）製品品番を生成し出力端末２に出力するものとされている。
【００３６】
（システムの作動）
次に、上記受注支援システムＡの作動について説明する。営業担当者は入力端末１を用いて製品の発注を行う。このとき、ドアの基本デザインや寸法等を特定するデザイン品番と色品番とを別々に入力する。
【００３７】
このようにして入力端末１にデザイン品番と色品番とが入力されると、サーバ５において、それら品番が組み合わせ（掛け合わせ）られて製品品番が生成され、その製品品番はサーバ５に記憶される（受注）。このサーバ５は受注を確認した後、その製品品番のデザイン品番によって特定されるドアの製品規格書をデータベース４から読み出して出力端末２に出力し、出力端末２は製品規格書を表示する。
【００３８】
製品規格書では、製品品番に対応するドアに使用する材料（木口材や目地等）の色柄等が予め設定（登録）されており、このことで、入力された品番に対応する仕掛かり材料がデータで出力される。在庫のないものは発注される。
【００３９】
上記生産材料が揃った時点で製造ラインに流れる。製造ラインはドア１本単位で生産可能であるが、同じ品番や近い品番を簡単にまとめることができ、効率的な生産ができる。
【００４０】
この製造後、品番情報を梱包ラベルに記載し、製品の出荷を行う。
【００４１】
したがって、この参考形態においては、ドアのデザイン品番は、ドアの標準品からのデザインやパーツの位置等を変更できる範囲が決められており、そのデザイン品番によりドアを注文することで、そのドアの注文品が品質を保証していることを確認できる。
【００４２】
また、製品品番で所望のデザインや色等のパターンのドアが特定できるので、誰でも間違いなく注文することができ、受注側も間違いなく生産し納入でき、発注や受注が極めて容易となる。
【００４３】
さらに、デザインパターンのデザイン品番、色品番、特注寸法（大小の範囲が決められその中で１ｍｍ単位で発注できる）は別々に入力し、サーバ５内で組み合わせて（掛け合わせて）製品品番を生成することで、入力もし易く、システムＡ自体の記憶容量が少なくて済む。
【００４４】
また、製品品番は、ドアのデザイン、寸法、表面の木目模様及び色が、文字もしくは数字又は両者の組み合わせにより特定されているので、複数桁の製品品番で所望のデザインや色等のパターンのドアを特定することができる。
【００４５】
尚、入力端末１にデザイン品番や色品番の他に特注寸法（大小の範囲が決められその中で例えば１ｍｍ単位で発注できる）を入力できるようにしてもよく、いずれも別々に入力し、サーバ５内で組み合わせて（掛け合わせて）製品品番を生成することができ、入力の容易化、システムＡ自体の記憶容量の低減が図られる。
【００４６】
［実施形態］
図４は本発明の実施形態を示す（尚、図１と同じ部分については同じ符号を付してその詳細な説明は省略する）。この実施形態では、サーバ５は、出力端末２だけでなくドアの製造ライン２０（製造装置）にも有線通信回線で接続されており、入力端末１に製品品番（デザイン品番及び色品番）が入力されたとき、そのデザイン品番によって特定されるドアの製品規格書をデータベース４から読み出して出力端末２に出力するだけでなく、デザイン品番のドアの製造に必要な材料を提示し、かつデータを製造ライン２０に出力するようになっている。その他の構成は参考形態と同様である。
【００４７】
この実施形態でも参考形態と同様の作用効果が得られる。特に、この実施形態では、入力端末１により製品品番（デザイン品番及び色品番）がサーバ５に入力されると、そのサーバ５により製品品番で特定されたドアの製品規格書がデータベース４から読み出されて提示されるだけでなく、その製品品番のドアの製造に必要な材料も提示され、かつそれらデータが製造ライン２０に送られる。特にＮＣ加工機を用いれば、ドアの受注から生産までを自動的に行うことができる。
【産業上の利用可能性】
【００４８】
本発明は、ドアの受注生産に極めて有用であり、産業上の利用可能性が高い。
【符号の説明】
【００４９】
Ａ  ドアの受注支援システム
１  入力端末
２  出力端末
４  データベース
５  サーバ
１１  ドア
１２  縦ライン（パーツ）
１３ａ  小窓（パーツ）
１３ｂ  矩形窓（パーツ）
１３ｃ  スリット窓（パーツ）
１３ｄ  円弧窓（パーツ）
１３ｅ  格子窓（パーツ）
２０  製造ライン（製造装置）
【図１】
0005681538.tif 000002
【図２】
0005681538.tif 000003
【図３】
0005681538.tif 000004
【図４】
0005681538.tif 000005
【図５】
0005681538.tif 000006